(57)【要約】【課題】フェーズダイバーシティ方式による受信をより長時間維持してフェージングによる劣化を抑制することができる放送受信装置、放送受信方法およびプログラムを提供する。【解決手段】ラジオ受信装置１（放送受信装置）における受信モード設定部４５は、第１チューナー１１、第２チューナー１２および信号処理部２０に対して、第１チューナー１１および第２チューナー１２による受信状態に応じて、フェーズダイバーシティ方式によるラジオ放送信号の受信を行うための第１モードまたは第２モードの動作設定を指示する。受信モード設定部４５は、第１モードでは、第２チューナー１２によりＡＦデータの周波数での受信状態を取得する。受信モード設定部４５は、第２モードでは、第２チューナー１２によりＡＦデータの周波数で受信される信号に重畳されたＰＩコードを取得する。【選択図】図３
2018164163.tif 000002
【特許請求の範囲】
【請求項１】
番組識別情報および番組識別情報に対応した代替の周波数を示す代替周波数情報が重畳された放送信号を受信する第１チューナーおよび第２チューナーと、
前記第１チューナーおよび前記第２チューナーで受信した信号に基いて、音声信号を取得し、番組識別情報および代替周波数情報を抽出する信号処理部と、
前記第１チューナー、前記第２チューナーおよび前記信号処理部に対して、前記第１チューナーおよび前記第２チューナーによる受信状態に応じて、フェーズダイバーシティ方式による前記放送信号の受信を行うための第１モードまたは第２モードの動作設定を指示し、前記第１モードでは、前記第２チューナーにより代替周波数情報の周波数での受信状態を取得し、前記第２モードでは、前記第２チューナーにより代替周波数情報の周波数で受信される信号に重畳された番組識別情報を取得する受信モード設定部と、
を備えることを特徴とする放送受信装置。
【請求項２】
前記受信モード設定部は、前記第２モードにおいて取得する番組識別情報と受信中の前記放送信号の番組識別情報とが一致しない場合に、前記第１チューナーおよび前記信号処理部に対して、前記第１チューナーにより前記放送信号の受信を行うための第３モードの動作設定を指示し、前記第３モードでは、前記第２チューナーにより前記代替周波数情報の周波数で受信される信号に重畳された番組識別情報を取得する処理を繰り返すことを特徴とする請求項１に記載の放送受信装置。
【請求項３】
前記受信モード設定部は、前記第３モードにおいて取得する番組識別情報と受信中の前記放送信号のＰＩコードとが一致せず、所定時間が経過した場合に、前記第１チューナーおよび前記信号処理部に対して、前記第１チューナーにより前記放送信号の受信を行うための第４モードの動作設定を指示し、前記第４モードでは、第２チューナーに対して前記放送信号が提供される全周波数帯域での周波数スキャンを指示し、受信される信号に重畳された番組識別情報を取得することを特徴とする請求項２に記載の放送受信装置。
【請求項４】
番組識別情報および番組識別情報に対応した代替の周波数を示す代替周波数情報が重畳された放送信号を第１チューナーおよび第２チューナーにより受信するステップと、
前記第１チューナーおよび前記第２チューナーで受信した信号に基いて、信号処理部により、音声信号を取得し、番組識別情報および代替周波数情報を抽出するステップと、
前記第１チューナー、前記第２チューナーおよび前記信号処理部に対して、前記第１チューナーおよび前記第２チューナーによる受信状態に応じて、フェーズダイバーシティ方式による前記放送信号の受信を行うための第１モードまたは第２モードの動作設定を指示するステップと、
前記第１モードでは、前記第２チューナーにより代替周波数情報の周波数での受信状態を取得するステップと、
前記第２モードでは、前記第２チューナーにより代替周波数情報の周波数で受信される信号に重畳された番組識別情報を取得するステップと、
を備えることを特徴とする放送受信方法。
【請求項５】
番組識別情報および番組識別情報に対応した代替の周波数を示す代替周波数情報が重畳された放送信号を受信する第１チューナーおよび第２チューナー、並びに、受信した信号に基いて音声信号を取得し、番組識別情報および代替周波数情報を抽出する信号処理部に対して、前記第１チューナーおよび前記第２チューナーによる受信状態に応じて、フェーズダイバーシティ方式による前記放送信号の受信を行うための第１モードまたは第２モードの動作設定を指示する機能と、
前記第１モードでは、前記第２チューナーにより代替周波数情報の周波数での受信状態を取得する機能と、
前記第２モードでは、前記第２チューナーにより代替周波数情報の周波数で受信される信号に重畳された番組識別情報を取得する機能と、をコンピュータに実現させることを特徴とするプログラム。
【発明の詳細な説明】
【技術分野】
【０００１】
本発明は、放送受信装置、放送受信方法およびプログラムに関する。
【背景技術】
【０００２】
特許文献１には、メインチューナーおよびサブチューナーと、受信状態を判定する判定手段と、受信制御手段とを備えるラジオ受信装置が開示されている。判定手段は、メインチューナーおよびサブチューナーからの受信信号に基いて、それらの電界強度などから受信状態を判定する。受信制御手段は、判定手段により受信状態が良好と判定されたとき、メインチューナーとサブチューナーをそれぞれ独立に動作可能とする。また、受信制御手段は、判定手段により受信状態が不良と判定されたとき、メインチューナーとサブチューナーをフェーズダイバーシティ受信させる。
【先行技術文献】
【特許文献】
【０００３】
【特許文献１】特開２００７−６０６２４号公報
【発明の概要】
【発明が解決しようとする課題】
【０００４】
特許文献１に記載のラジオ受信装置は、判定手段により受信状態が良好である判定された場合、メインチューナーとサブチューナーを独立に動作させるため、この受信期間中は、フェーズダイバーシティ受信によってフェージングを抑制することができない。また、このラジオ受信装置は、判定手段により受信状態が不良と判定された場合、フェーズダイバーシティ受信するが、受信中にサブチューナーにより代替局をシークすることで、フェーズダイバーシティ受信を維持する期間がより短時間になってしまう。
【０００５】
本発明は、斯かる事情に鑑みてなされたものであり、その目的とするところは、フェーズダイバーシティ方式による受信をより長時間維持してフェージングによる劣化を抑制することができる放送受信装置、放送受信方法およびプログラムを提供することにある。
【課題を解決するための手段】
【０００６】
本発明のある態様の放送受信装置は、番組識別情報および番組識別情報に対応した代替の周波数を示す代替周波数情報が重畳された放送信号を受信する第１チューナーおよび第２チューナーと、第１チューナーおよび第２チューナーで受信した信号に基いて、音声信号を取得し、番組識別情報および代替周波数情報を抽出する信号処理部と、第１チューナー、第２チューナーおよび信号処理部に対して、第１チューナーおよび第２チューナーによる受信状態に応じて、フェーズダイバーシティ方式による放送信号の受信を行うための第１モードまたは第２モードの動作設定を指示し、第１モードでは、第２チューナーにより代替周波数情報の周波数での受信状態を取得し、第２モードでは、第２チューナーにより代替周波数情報の周波数で受信される信号に重畳された番組識別情報を取得する受信モード設定部と、を備える。
【０００７】
本発明の別の態様は、放送受信方法である。この方法は、番組識別情報および番組識別情報に対応した代替の周波数を示す代替周波数情報が重畳された放送信号を第１チューナーおよび第２チューナーにより受信するステップと、第１チューナーおよび第２チューナーで受信した信号に基いて、信号処理部により、音声信号を取得し、番組識別情報および代替周波数情報を抽出するステップと、第１チューナー、第２チューナーおよび信号処理部に対して、第１チューナーおよび第２チューナーによる受信状態に応じて、フェーズダイバーシティ方式による放送信号の受信を行うための第１モードまたは第２モードの動作設定を指示するステップと、第１モードでは、第２チューナーにより代替周波数情報の周波数での受信状態を取得するステップと、第２モードでは、第２チューナーにより代替周波数情報の周波数で受信される信号に重畳された番組識別情報を取得するステップと、を備える。
【発明の効果】
【０００８】
本発明によれば、フェーズダイバーシティ方式による受信をより長時間維持してフェージングによる劣化を抑制することができる。
【図面の簡単な説明】
【０００９】
【図１】実施形態に係るラジオ受信装置を含むラジオ受信システムの模式図である。
【図２】ラジオ受信装置で作成するＡＦリストの例を示す図表である。
【図３】ラジオ受信装置の構成を示すブロック図である。
【図４】ラジオ受信装置の受信モードを示す図表である。
【図５】第１モードでの処理手順を示すフローチャートである。
【図６】第１モードおよび第２モードでの各チューナーの設定を説明するための模式図である。
【図７】第２モードでの処理手順を示すフローチャートである。
【図８】第３モードでの処理手順を示すフローチャートである。
【図９】第３モードおよび第４モードでの各チューナーの設定を説明するための模式図である。
【図１０】第４モードでの処理手順を示すフローチャートである。
【発明を実施するための形態】
【００１０】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（ラジオ受信システム）
図１は実施形態に係るラジオ受信装置１（放送受信装置）を含むラジオ受信システム１００の模式図である。ラジオ受信システム１００は、複数の放送塔９０がそれぞれ固有の周波数によりラジオ放送信号を送信している。自動車等の移動体９１に搭載されたラジオ受信装置１は、放送塔９０から送信されたラジオ放送信号を受信し、信号処理等を行って音声を再生する。尚、ラジオ放送信号は本発明における放送信号に相当する。
【００１２】
各放送塔９０から送信されるラジオ放送信号に、放送番組を識別するための情報であるＰＩ（Program Identification：番組識別）コード（番組識別情報）、および該ＰＩコードに対応する、言い換えればＰＩコードにより識別された放送番組と同一の放送番組を放送する周波数を示したＡＦ（Alternative Frequency：代替周波数）データ（代替周波数情報）等が重畳されている。ラジオ放送信号に各種のコードやデータを重畳して利用するＲＤＳ（Radio Data System）は、欧州などで実用化されている。
【００１３】
図１に示すように、放送塔９０は、一の放送番組のＰＩコードに対応するラジオ放送信号を例えば周波数８９．１ＭＨｚ、１００ＭＨｚ、９７．９ＭＨｚ、９８．２ＭＨｚおよび９５．１ＭＨｚで送信している。ラジオ受信装置１は、該ＰＩコードに対応する周波数を順次スキャンして受信に適した周波数でラジオ放送信号を受信する。各放送塔９０は、該ＰＩコードに対応する、その地域で受信可能なＡＦを記述したＡＦデータをラジオ放送信号に重畳して送信している。
【００１４】
図２はラジオ受信装置１で作成されるＡＦリストの例を示す図表である。ラジオ受信装置１は、現在受信しているラジオ放送信号からＡＦデータを抽出してＡＦリストに格納して記憶し、記憶したＡＦリストを随時更新する。例えば、ラジオ受信装置１は、一の放送番組のＰＩコードに対応するラジオ放送信号を周波数９７．９ＭＨｚで送信する放送塔９０から受信し、ラジオ放送信号に重畳されたＡＦデータを取得し、ＡＦリストに格納する。この場合、ラジオ受信装置１は隣接する放送塔９０から放送されるラジオ放送信号の周波数１００．０ＭＨｚ、９５．１ＭＨｚおよび９８．２ＭＨｚで構成されるＡＦデータを取得し、記憶したＡＦリストを更新する。
【００１５】
ラジオ受信装置１は、移動体９１が移動することによって、例えば周波数９８．２ＭＨｚで送信する放送塔９０からのラジオ放送信号を受信するようになると、９７．９ＭＨおよび９５．１ＭＨｚで構成されるＡＦデータを取得する。ラジオ受信装置１は、取得したＡＦデータによって、記憶するＡＦリストを更新する。
【００１６】
（ラジオ受信装置）
図３はラジオ受信装置１の構成を示すブロック図である。ラジオ受信装置１は、第１チューナー１１、第２チューナー１２、信号処理部２０、音声処理部３０、制御部４０、記憶部５０、操作部５１、および表示部５２等を備える。ラジオ受信装置１は、カーナビゲーションシステム等にも適用できるが、パーソナルコンピュータ、ノート型パーソナルコンピュータ、ＰＤＡ（Personal Digital Assistant）機器、携帯電話等の電子機器にも適用できる。
【００１７】
第１チューナー１１は、アンテナ１０ａからラジオ放送信号を受け取り、制御部４０によって指示された周波数で同調して受信する。第１チューナー１１は、受信信号を局部発信器（図示略）からの周波数信号と混合することによって中間周波数信号を生成する。第１チューナー１１は、生成した中間周波数信号をＡＤ変換器（図示略）によりデジタル信号に変換し、信号処理部２０へ出力する。また、第１チューナー１１は、受信したラジオ放送信号の電波強度を測定し、受信信号強度値（ＲＳＳＩ：Received Signal Strength Indicator）を取得する。第２チューナー１２は、第１チューナー１１と同様に構成されており、アンテナ１０ｂからラジオ放送信号を受け取り、第１チューナー１１と同様に機能する。
【００１８】
信号処理部２０は、例えばＤＳＰ（Digital Signal Processor）で構成されており、第１チューナー１１および第２チューナー１２から入力されたデジタル信号に対して各種の信号処理を行う。信号処理部２０は、例えば、ＦＦＴ、デジタルフィルタリング、信号同期、時間・周波数デインターリーブ、音声復号、データ復号、フェーズダイバーシティ等の信号処理を行う。これらの信号処理は、内蔵するメモリに格納されたソフトウェアによって制御することができる。
【００１９】
信号処理部２０は、制御部４０からの指示に基づき、第１チューナー１１および第２チューナー１２から入力されたデジタル信号について、フェーズダイバーシティ方式によって信号合成して音声信号を取得し、音声処理部３０へ出力する。また、信号処理部２０は、制御部４０からの指示に基づき、第１チューナー１１および第２チューナー１２から入力されたデジタル信号を個別に信号処理して音声信号を取得し、音声処理部３０へ出力する。更に、信号処理部２０は、第１チューナー１１および第２チューナー１２から入力されたデジタル信号に含まれるＰＩコードおよびＡＦデータを抽出し、制御部４０へ出力する。
【００２０】
音声処理部３０は、信号処理部２０から入力された音声信号の音量調整、ミュート切替等を行い、スピーカ３１へ出力する。音声処理部３０における音量調整およびミュート切替等の処理は、制御部４０からの指示に基いて行われる。
【００２１】
制御部４０は、ＡＦリスト作成部４１、受信状態判定部４２、ＰＩコード判定部４３、ＰＩサーチ処理部４４および受信モード設定部４５を有する。制御部４０は、例えばＣＰＵなどによって構成され、コンピュータプログラムに従って動作することによって、上述の各部による処理を実行する。
【００２２】
記憶部５０は、ＲＡＭ（Random Access Memory）、フラッシュメモリ、ハードディスク記憶装置等のデータ記憶装置によって構成されており、ＰＩコード、ＡＦリスト、および制御部４０で実行するコンピュータプログラム等を記憶する。操作部５１は、操作キー、十字キー、タッチパネル等のスイッチから構成されており、ユーザによる操作入力を受け付ける。表示部５２は、液晶ディスプレイ、有機ＥＬ（Electro Luminescence）ディスプレイ、ＬＥＤ（Light Emitting Diode）ディスプレイ等で構成され、制御部４０からの指示に応じて、ラジオ放送信号に含まれるデータ信号の内容を表示する。
【００２３】
制御部４０において、ＡＦリスト作成部４１は、信号処理部２０で抽出したＡＦデータを記憶部５０に記憶させる。また、記憶部５０に記憶されたＡＦリストを受信状態が良い順に並べ変える。
【００２４】
受信状態判定部４２は、第１チューナー１１および第２チューナー１２で受信したラジオ放送信号の受信状態を取得し、受信状態が良好であるか否かを判定する。受信状態判定部４２は、例えば受信信号強度値を受信状態として取得し、受信信号強度値が一定の閾値より大きい場合に受信状態が良好であると判定し、小さい場合に否であると判定する。
【００２５】
ＰＩコード判定部４３は、第１チューナー１１および第２チューナー１２で受信したラジオ放送信号に重畳されたＰＩコードが現在受信中の放送番組のＰＩコードと一致するか否かを判定する。
【００２６】
ＰＩサーチ処理部４４は、第２チューナー１２に対してラジオ放送電波の全周波数帯域での周波数スキャンを指示してラジオ放送信号を受信させ、ＡＦデータおよびＰＩコードを信号処理部２０から取得する。ＰＩサーチ処理部４４は、現在受信中の放送番組と同一のＰＩコードを有するＡＦデータを探索し、見つかったＡＦデータを記憶部５０のＡＦリストに追加する。
【００２７】
（受信モード設定部）
受信モード設定部４５は、ラジオ放送信号の受信状態に応じて、第１チューナー１１、第２チューナー１２および信号処理部２０に対して４つの受信モードでの動作設定を指示する。図４は、ラジオ受信装置１の受信モードを示す図表である。受信モードは、第１モードから第４モードまでの４つのモードで構成されている。尚、図４において、フェーズダイバーシティ方式による受信をＰＤ受信と表記する。
【００２８】
第１モードおよび第２モードでは、フェーズダイバーシティ方式によって受信する。但し、第２モードにおけるＡＦでのＰＩコード取得の処理では、第１チューナー１１および第２チューナー１２でそれぞれ独立して受信するデュアル受信を行う。第１モードでは、受信状態は良好であり、対応処理として、ＡＦでの受信状態取得とＡＦリストの並べ替えを行う。第２モードでは、受信状態は良好ではなく否であり、対応処理として、ＡＦへの変更とＡＦでのＰＩコード取得を行う。
【００２９】
第３モードおよび第４モードでは、デュアル受信を行う。第３モードでは、受信状態は良好ではなく否であり、対応処理としてＡＦへの変更とＡＦでのＰＩコード取得を行う。第３モードでは、ＡＦでのＰＩコード取得を繰り返す。第４モードでは、受信状態は良好ではなく否であり、対応処理として、ＡＦへの変更とＰＩサーチ処理を行う。尚、第２モードから第４モードへ向かうにつれて、受信状態は悪化するものとしている。
【００３０】
受信モード設定部４５は、受信状態判定部４２によって受信状態が良好であると判定された場合に、第１モードでの動作設定を採用する。第１モードでは、受信モード設定部４５は、第１チューナー１１および第２チューナー１２に対して、現在受信している周波数での受信設定を指示し、両チューナーでラジオ放送信号を受信させる。また第１モードでは、受信モード設定部４５は、信号処理部２０に対してフェーズダイバーシティ方式での信号処理を指示し、信号処理部２０でフェーズダイバーシティ方式により信号合成して音声信号を取得させる。
【００３１】
また第１モードでは、受信モード設定部４５は、第２チューナー１２に対して、記憶部５０に記憶したＡＦリスト中の各ＡＦデータでの受信設定を所定時間間隔（例えば、数ｓｅｃ〜数十ｓｅｃ）で指示する。受信モード設定部４５は、第２チューナー１２において受信するラジオ放送信号の受信状態を取得し、ＡＦデータを受信状態が良い順序に並べ替え、ＡＦリスト作成部４１に該順序でＡＦリストを更新させる。受信モード設定部４５は、例えば受信信号強度値をラジオ放送信号の受信状態として取得する。尚、第２チューナー１２が各ＡＦに同調して受信信号強度値を取得するために要する期間は、例えば数ｍｓｅｃ〜数十ｍｓｅｃ程度である。
【００３２】
受信モード設定部４５は、受信状態判定部４２が否と判定、即ち受信状態が良好でないと判定した場合に、第２モードでの動作設定を採用する。第２モードでは、受信モード設定部４５は、第１チューナー１１および第２チューナー１２に対して、現在受信している周波数での受信設定を指示し、両チューナーでラジオ放送信号を受信させる。また第２モードでは、受信モード設定部４５は、信号処理部２０に対してフェーズダイバーシティ方式での信号処理を指示し、信号処理部２０でフェーズダイバーシティ方式により信号合成して音声信号を取得させる。
【００３３】
また第２モードでは、受信モード設定部４５は、第２チューナー１２に対して、記憶部５０に記憶したＡＦリスト中の各ＡＦデータでの受信設定を所定時間間隔（例えば、数ｓｅｃ〜数十ｓｅｃ）で指示する。受信モード設定部４５は、第２チューナー１２において受信するラジオ放送信号に含まれるＰＩコードを信号処理部２０から取得し、ＰＩコード判定部４３へ渡す。ＰＩコード判定部４３は、受信モード設定部４５から受け取ったＰＩコードが記憶部５０で記憶する現在受信している放送番組のＰＩコードと一致しているか否かを判定し、判定結果を受信モード設定部４５へ渡す。尚、第２チューナー１２が各ＡＦで受信し、ＰＩコード判定部４３でＰＩコードの一致性を判定するために要する期間は数百ｍｓｅｃ〜数ｓｅｃ程度である。
【００３４】
受信モード設定部４５は、ＰＩコード判定部４３から受け取った判定結果がＡＦリスト中のいずれかのＡＦについて一致している場合には、第２モードでの動作設定を継続する。受信モード設定部４５は、ＰＩコード判定部４３から受け取った判定結果がＡＦリスト中の全てのＡＦについて否である、即ちＰＩコードが一致していない場合には、次に説明する第３モードでの動作設定に移行する。また、受信モード設定部４５は、第２モードでの動作設定を継続している場合に、受信状態が良好であると判定されたとき、第１モードでの動作設定に移行する。
【００３５】
受信モード設定部４５は、第２モードにおいてＰＩコード判定部４３がＡＦリスト中の全てのＡＦについて否と判定した場合に、第３モードでの動作設定を採用する。第３モードでは、受信モード設定部４５は、第１チューナー１１に対して、現在受信している周波数での受信設定を指示し、信号処理部２０に対して、第１チューナー１１からのデジタル信号を信号処理して音声信号を取得するよう指示する。
【００３６】
また第３モードでは、受信モード設定部４５は、第２チューナー１２に対して、記憶部５０に記憶したＡＦリスト中の各ＡＦデータでの受信設定を指示する処理を繰り返す。受信モード設定部４５は、第２チューナー１２において受信するラジオ放送信号に含まれるＰＩコードを信号処理部２０から取得し、ＰＩコード判定部４３へ渡す。ＰＩコード判定部４３は、受信モード設定部４５から受け取ったＰＩコードが記憶部５０で記憶する現在受信している放送番組のＰＩコードと一致しているか否かを判定し、判定結果を受信モード設定部４５へ渡す。
【００３７】
受信モード設定部４５は、ＰＩコード判定部４３から受け取った判定結果がＡＦリスト中のいずれかのＡＦについて一致している場合には、第２モードでの動作設定へ変更する。受信モード設定部４５は、ＡＦリスト中の各ＡＦデータでの受信設定を繰り返し、所定時間（例えば、数ｓｅｃ〜数十ｓｅｃ）が経過してもＰＩコード判定部４３から受け取った判定結果がＡＦリスト中の全てのＡＦについて否である場合には、次に説明する第４モードでの動作設定に移行する。
【００３８】
受信モード設定部４５は、第３モードにおいて、所定時間が経過してもＰＩコード判定部４３から受け取った判定結果がＡＦリスト中の全てのＡＦについて否である場合には、第４モードでの動作設定を採用する。第４モードでは、受信モード設定部４５は、第１チューナー１１に対して、現在受信している周波数での受信設定を指示し、信号処理部２０に対して、第１チューナー１１からのデジタル信号を信号処理して音声信号を取得するよう指示する。
【００３９】
また第４モードでは、受信モード設定部４５は、ＰＩサーチ処理部４４に周波数スキャンを実行するよう指示する。ＰＩサーチ処理部４４は、第２チューナー１２に対してラジオ放送信号が提供される全周波数帯域での周波数スキャンを指示してラジオ放送信号を受信させ、ＡＦデータおよびＰＩコードを信号処理部２０から取得するＰＩサーチ処理を行う。ＰＩサーチ処理部４４は、現在受信中の放送番組と同一のＰＩコードを有するＡＦデータを抽出する。ＰＩサーチ処理部４４は、抽出されたＡＦデータを記憶部５０のＡＦリストに追加する。
【００４０】
受信モード設定部４５は、ＰＩサーチ処理部４４での処理後、第３モードでの動作設定に移行する。受信モード設定部４５は、ＰＩサーチ処理部４４によって追加されたＡＦデータを記憶部５０から取得し、第１チューナー１１に対して、該ＡＦデータの周波数での受信設定を指示する。受信モード設定部４５は、第１チューナー１１による受信で取得されるＡＦデータを記憶部５０に記憶させ、第２チューナー１２に対して、該ＡＦデータでの受信設定を指示する。
【００４１】
次に、ラジオ受信装置１の動作を説明する。図５は第１モードでの処理手順を示すフローチャートである。第１モードでは、制御部４０の受信モード設定部４５は、第１チューナー１１および第２チューナー１２に対して現在受信している周波数での受信を指示し、信号処理部２０に対してフェーズダイバーシティ方式での信号処理を指示する。
【００４２】
受信モード設定部４５は、第２チューナー１２に対して、記憶部５０に記憶したＡＦリスト中の各ＡＦデータでの受信設定を指示し、第２チューナー１２において受信するラジオ放送信号の受信状態を取得する（ステップＳ１１）。受信モード設定部４５は、ＡＦデータを受信状態が良い順序に並べ替え、ＡＦリスト作成部４１に該順序でＡＦリストを更新させる（ステップＳ１２）。受信モード設定部４５は、所定期間経過（例えば、数ｓｅｃ〜数十ｓｅｃ）ごとに、図５に示すフローチャートによる処理を実行する。
【００４３】
図６は第１モードおよび第２モードでの各チューナーの設定を説明するための模式図である。第１モードでは、第１チューナー１１および第２チューナー１２は、フェーズダイバーシティ方式（ＰＤ受信）に設定される。また、第１チューナー１１は、現在受信している周波数（ＭＦ）で受信する設定としている。第２チューナー１２は、ステップＳ１１を実行する期間では、ＡＦデータの周波数で受信する設定となり、それ以外はＭＦで受信する設定としている。
【００４４】
第２チューナー１２により各ＡＦデータの受信状態を取得するステップＳ１１に要する期間は例えば数ｍｓｅｃ〜数十ｍｓｅｃ程度であり、この期間中は、信号処理部２０で取得される音声信号がやや劣化する。一方、第２チューナー１２に対する各ＡＦでの受信設定を行う所定時間間隔を数ｓｅｃ以上とすれば、ＡＦでの受信による音声信号の劣化期間の割合をごく僅かなものとすることができる。また、受信状態判定部４２において、受信状態が良好であると判定された場合に、フェーズダイバーシティ方式によって受信することで、フェージングによる音声信号の劣化を抑えた良好な音声信号を取得することができる。
【００４５】
図７は第２モードでの処理手順を示すフローチャートである。第２モードでは、受信モード設定部４５は、第１チューナー１１および第２チューナー１２に対して現在受信している周波数での受信を指示し、信号処理部２０に対してフェーズダイバーシティ方式での信号処理を指示する。
【００４６】
受信モード設定部４５は、第１チューナー１１での受信を継続しつつ、フェーズダイバーシティ方式での受信をオフとする（ステップＳ２１）。受信モード設定部４５は、第２チューナー１２に対して、記憶部５０に記憶したＡＦリスト中の各ＡＦデータでの受信設定を指示し、第２チューナー１２において受信するラジオ放送信号に含まれるＰＩコードを取得する（ステップＳ２２）。受信モード設定部４５は、取得したＰＩコードをＰＩコード判定部４３へ渡す。ＰＩコード判定部４３は受け取ったＰＩコードが現在受信している放送番組のＰＩコードと一致しているか否かを判定し、判定結果を受信モード設定部４５へ渡す。受信モード設定部４５は、ＰＩコード判定部４３から受け取った判定結果がＡＦリスト中のいずれかのＡＦについて一致しているか否かを判定する（ステップＳ２３）。
【００４７】
ＰＩコード判定部４３から受け取った判定結果がＡＦリスト中のいずれかのＡＦについて一致している場合には（ステップＳ２３：ＹＥＳ）、フェーズダイバーシティ方式での受信をオンとし（ステップＳ２４）、第２モードでの動作設定を継続する。受信モード設定部４５は、ＰＩコード判定部４３から受け取った判定結果がＡＦリスト中の全てのＡＦについて否である、即ちＰＩコードが一致していない場合には（ステップＳ２３：ＮＯ）、第３モードでの動作に移行する（ステップＳ２５）。受信モード設定部４５は、所定期間経過（例えば、数ｓｅｃ〜数十ｓｅｃ）ごとに、図７に示すフローチャートによる処理を実行する。
【００４８】
図６に示すように、第２モードでは、第１チューナー１１および第２チューナー１２は、フェーズダイバーシティ方式に設定される。ステップＳ２２およびステップＳ２３を実行する期間では、第１チューナー１１および第２チューナー１２は、フェーズダイバーシティ方式でなく、それぞれ単独での受信に設定される。また、第１チューナー１１は、ステップＳ２２およびステップＳ２３を実行する期間では、現在受信している周波数（ＭＦ）で受信する設定としている。第２チューナー１２は、ステップＳ２１およびステップＳ２２を実行する期間では、ＡＦデータの周波数で受信する設定となり、それ以外はＭＦで受信する設定としている。
【００４９】
第２チューナー１２が各ＡＦで受信し、ＰＩコード判定部４３でＰＩコードの一致性を判定するために要する期間は数百ｍｓｅｃ〜数ｓｅｃ程度である。この期間中は、信号処理部２０で取得される音声信号が劣化する可能性がある。一方、第１チューナー１１および第２チューナー１２がフェーズダイバーシティ方式に設定されて受信している期間では、フェージングによる劣化が抑制されて音声信号の改善を図ることができる。第１モードおよび第２モードでは、フェーズダイバーシティ方式による受信をより長時間維持することができ、フェージングによる劣化を抑制して音声信号の改善を図ることができる。
【００５０】
図８は第３モードでの処理手順を示すフローチャートである。第３モードでは、受信モード設定部４５は、第１チューナー１１および第２チューナー１２に対して、フェーズダイバーシティ方式でなく、それぞれ独立で受信する設定を指示する。受信モード設定部４５は、第１チューナー１１に対して現在受信中の周波数（ＭＦ）での受信を指示し、第２チューナー１２に対してＡＦデータの周波数での受信を指示する。
【００５１】
受信モード設定部４５は、第２チューナー１２に対して、記憶部５０に記憶したＡＦリスト中の各ＡＦデータでの受信設定を指示し、第２チューナー１２において受信するラジオ放送信号に含まれるＰＩコードを取得する（ステップＳ３１）。受信モード設定部４５は、取得したＰＩコードをＰＩコード判定部４３へ渡す。ＰＩコード判定部４３は受け取ったＰＩコードが現在受信している放送番組のＰＩコードと一致しているか否かを判定し、判定結果を受信モード設定部４５へ渡す。受信モード設定部４５は、ＰＩコード判定部４３から受け取った判定結果がＡＦリスト中のいずれかのＡＦについて一致しているか否かを判定する（ステップＳ３２）。
【００５２】
受信モード設定部４５は、ＰＩコード判定部４３から受け取った判定結果がＡＦリスト中のいずれかのＡＦについて一致している場合には（ステップＳ３２：ＹＥＳ）、第２モードでの動作設定へ変更する（ステップＳ３３）。受信モード設定部４５は、ＰＩコード判定部４３から受け取った判定結果がＡＦリスト中の全てのＡＦについて否である、即ちＰＩコードが一致していない場合には（ステップＳ３２：ＮＯ）、第３モードでの動作設定を継続する。受信モード設定部４５は、図８に示すフローチャートによる処理を繰り返し、所定時間（例えば、数ｓｅｃ〜数十ｓｅｃ）が経過してもＰＩコード判定部４３から受け取った判定結果がＡＦリスト中の全てのＡＦについて否である場合には、第４モードでの動作設定に移行する。
【００５３】
図９は第３モードおよび第４モードでの各チューナーの設定を説明するための模式図である。第３モードでは、第１チューナー１１および第２チューナー１２は、フェーズダイバーシティ方式でなく、それぞれ単独での受信に設定される。第１チューナー１１は、現在受信している周波数（ＭＦ）で受信する設定としている。第２チューナー１２は、ＡＦデータの周波数で受信する設定となる。
【００５４】
第２チューナー１２が各ＡＦで受信し、ＰＩコード判定部４３でＰＩコードの一致性を判定するために要する期間中は、信号処理部２０で取得される音声信号が劣化する可能性がある。受信モード設定部４５は、第２チューナー１２においてＡＦリスト中のＡＦデータに基いてＰＩコードの受信を繰り返すことで、現在受信している放送番組のＰＩコードと一致するＰＩコードを有するＡＦデータの確認をより速やかに行える。
【００５５】
図１０は第４モードでの処理手順を示すフローチャートである。第４モードでは、受信モード設定部４５は、第１チューナー１１および第２チューナー１２に対して、フェーズダイバーシティ方式でなく、それぞれ独立で受信する設定を指示する。受信モード設定部４５は、第１チューナー１１に対して現在受信中の周波数（ＭＦ）での受信を指示し、第２チューナー１２に対してＰＩコードのサーチ処理を指示する。
【００５６】
受信モード設定部４５は、ＰＩサーチ処理部４４に周波数スキャンを実行するよう指示する。ＰＩサーチ処理部４４は、第２チューナー１２に対してラジオ放送信号が提供される全周波数帯域での周波数スキャンを指示してラジオ放送信号を受信させ、ＡＦデータおよびＰＩコードを信号処理部２０から取得するＰＩサーチ処理を行う（ステップＳ４１）。ＰＩサーチ処理部４４は、現在受信中の放送番組と同一のＰＩコードを有するＡＦデータを抽出し、抽出されたＡＦデータを記憶部５０のＡＦリストに追加する（ステップＳ４２）。
【００５７】
受信モード設定部４５は、ＰＩサーチ処理部４４での処理後、第３モードでの動作設定に移行する（ステップＳ４３）。移行後の第３モードにおいて、受信モード設定部４５は、ＰＩサーチ処理部４４によって追加されたＡＦデータを記憶部５０から取得し、第１チューナー１１に対して、該ＡＦデータの周波数での受信設定を指示する。受信モード設定部４５は、第１チューナー１１による受信で取得されるＡＦデータを記憶部５０に記憶させ、第２チューナー１２に対して、該ＡＦデータでの受信設定を指示する。
【００５８】
図９に示すように、第４モードでは、第１チューナー１１および第２チューナー１２は、フェーズダイバーシティ方式でなく、それぞれ単独での受信に設定される。第１チューナー１１は、現在受信している周波数（ＭＦ）で受信する設定としている。第２チューナー１２は、ラジオ放送信号が提供される全周波数帯域での周波数スキャンする設定となる。この第４モードによる第１チューナー１１および第２チューナー１２の動作設定によって、第１チューナー１１で現在受信している周波数での受信を維持しつつ、第２チューナー１２で周波数スキャンを実行して確実にＡＦデータを取得することができる。
【００５９】
次に、実施形態に係るラジオ受信装置１、ラジオ放送受信方法およびプログラムの特徴を説明する。
【００６０】
実施形態に係るラジオ受信装置１は、第１チューナー１１および第２チューナー１２によって、ＰＩコードおよびＡＦデータが重畳されたラジオ放送信号を受信する。信号処理部２０は、第１チューナー１１および第２チューナー１２で受信した信号に基いて、音声信号を取得し、ＰＩコードおよびＡＦデータを抽出する。受信モード設定部４５は、第１チューナー１１、第２チューナー１２および信号処理部２０に対して、第１チューナー１１および第２チューナー１２による受信状態に応じて、フェーズダイバーシティ方式によるラジオ放送信号の受信を行うための第１モードまたは第２モードの動作設定を指示する。受信モード設定部４５は、第１モードでは、第２チューナー１２によりＡＦデータの周波数での受信状態を取得する。受信モード設定部４５は、第２モードでは、第２チューナー１２によりＡＦデータの周波数で受信される信号に重畳されたＰＩコードを取得する。これにより、ラジオ受信装置１は、フェーズダイバーシティ方式による受信をより長く維持することができ、フェージングによる劣化を抑制し、音声信号の改善を図ることができる。
【００６１】
また、受信モード設定部４５は、第２モードにおいて取得するＰＩコードと受信中のラジオ放送信号のＰＩコードとが一致しない場合に、第１チューナー１１および信号処理部２０に対して、第１チューナー１１によりラジオ放送信号の受信を行うための第３モードの動作設定を指示する。受信モード設定部４５は、第３モードでは、第２チューナー１２によりＡＦデータの周波数で受信される信号に重畳されたＰＩコードを取得する処理を繰り返す。これにより、ラジオ受信装置１は、現在受信している放送番組のＰＩコードと一致するＰＩコードを有するＡＦデータの確認をより速やかに行える。
【００６２】
また、受信モード設定部４５は、第３モードにおいて取得するＰＩコードと受信中のラジオ放送信号のＰＩコードとが一致せず、所定時間が経過した場合に、第１チューナー１１および信号処理部２０に対して、第１チューナー１１によりラジオ放送信号の受信を行うための第４モードの動作設定を指示する。受信モード設定部４５は、第４モードでは、第２チューナー１２に対してラジオ放送信号が提供される全周波数帯域での周波数スキャンを指示し、受信される信号に重畳されたＰＩコードを取得する。これにより、ラジオ受信装置１は、第１チューナー１１で現在受信している周波数での受信を維持しつつ、第２チューナー１２で周波数スキャンを実行して確実にＡＦデータを取得することができる。
【００６３】
実施形態に係るラジオ放送受信方法（放送受信方法）は、ＰＩコードおよびＡＦデータが重畳されたラジオ放送信号を第１チューナー１１および第２チューナー１２により受信するステップと、第１チューナー１１および第２チューナー１２で受信した信号に基いて、信号処理部２０により、音声信号を取得し、ＰＩコードおよびＡＦデータを抽出するステップと、第１チューナー１１、第２チューナー１２および信号処理部２０に対して、第１チューナー１１および第２チューナー１２による受信状態に応じて、フェーズダイバーシティ方式によるラジオ放送信号の受信を行うための第１モードまたは第２モードの動作設定を指示するステップと、第１モードでは、第２チューナー１２によりＡＦデータの周波数での受信状態を取得するステップと、第２モードでは、第２チューナー１２によりＡＦデータの周波数で受信される信号に重畳されたＰＩコードを取得するステップと、を備える。これにより、ラジオ放送受信方法は、フェーズダイバーシティ方式による受信をより長く維持することができ、フェージングによる劣化を抑制し、音声信号の改善を図ることができる。
【００６４】
実施形態に係るプログラムは、ＰＩコードおよびＡＦデータが重畳されたラジオ放送信号を受信する第１チューナー１１および第２チューナー１２、並びに、受信した信号に基いて音声信号を取得し、ＰＩコードおよびＡＦデータを抽出する信号処理部２０に対して、第１チューナー１１および第２チューナー１２による受信状態に応じて、フェーズダイバーシティ方式によるラジオ放送信号の受信を行うための第１モードまたは第２モードの動作設定を指示する機能と、第１モードでは、第２チューナー１２によりＡＦデータの周波数での受信状態を取得する処機能と、第２モードでは、第２チューナー１２によりＡＦデータの周波数で受信される信号に重畳されたＰＩコードを取得する機能と、をコンピュータに実現させる。このプログラムによって、フェーズダイバーシティ方式による受信をより長く維持することができ、フェージングによる劣化を抑制し、音声信号の改善を図ることができる。
【００６５】
上述の実施形態においては、受信状態判定部４２が、第１チューナー１１および第２チューナー１２による受信状態として、受信信号強度値を用いる例を示したが、これに限られるものではない。受信状態判定部４２は、第１チューナー１１および第２チューナー１２による受信状態として、例えばＣ／Ｎ比、ＢＥＲ等を用いてもよく、第１チューナー１１のみならず、信号処理部２０から取得される各種の受信ステータス情報を用いることもできる。
【００６６】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００６７】
１  ラジオ受信装置（放送受信装置）、  １１  第１チューナー、
１２  第２チューナー、  ２０  信号処理部、  ４５  受信モード設定部。
【図１】
2018164163.tif 000003
【図２】
2018164163.tif 000004
【図３】
2018164163.tif 000005
【図４】
2018164163.tif 000006
【図５】
2018164163.tif 000007
【図６】
2018164163.tif 000008
【図７】
2018164163.tif 000009
【図８】
2018164163.tif 000010
【図９】
2018164163.tif 000011
【図１０】
2018164163.tif 000012